(57)【要約】【課題】カットされる記録媒体が短い場合でも、その記録媒体のカット方法を変更し、記録媒体の無駄な消費を抑えつつ、記録媒体の装置内への滞留を防止することである。【解決手段】カッター装置による前回のフルカットからの搬送手段による記録媒体の搬送距離が予め定められた最低カット長未満であるかどうかに従って、ユーザによる指示がフルカットであったとしても部分的カットに変更する。【選択図】  図７
2019181845.tif 000002
【特許請求の範囲】
【請求項１】
連続した記録媒体に記録を行う記録手段と、
前記記録媒体を搬送する搬送手段と、
前記搬送手段による記録媒体の搬送方向に関し、前記記録手段の下流側に設けられ、ユーザからの指示に従って、記録媒体をフルカット又は部分的カットによって切断することが可能な切断手段と、
前記切断手段による前回のフルカットからの前記搬送手段による記録媒体の搬送距離が予め定められた最低カット長未満であるかどうかに従って、前記ユーザによる指示がフルカットであったとしても部分的カットに変更する変更手段とを有することを特徴とする記録装置。
【請求項２】
前記最低カット長は、フルカットされた記録媒体がその場に留まってもユーザが前記記録装置から取り出すことができる長さであることを特徴とする請求項１に記載の記録装置。
【請求項３】
前記変更手段は、前記最低カット長と前回のフルカットからの前記搬送手段による記録媒体の搬送距離とを比較し、該比較の結果、前記前回のフルカットからの前記搬送手段による記録媒体の搬送距離が前記最低カット長未満であれば、前記ユーザによる指示がフルカットであったとしても部分的カットに変更することを特徴とする請求項１又は２に記載の記録装置。
【請求項４】
前記記録装置に記録を行わせる印刷ジョブが複数のページに印刷を行う場合、前記記録手段による１ページの印刷が終了するごとに、前記記録媒体の搬送方向に関し、該印刷されたページの長さを前記前回のフルカットからの搬送距離に加算する加算手段をさらに有することを特徴とする請求項３に記載の記録装置。
【請求項５】
前記比較の結果、前記前回のフルカットからの前記搬送手段による記録媒体の搬送距離が前記最低カット長以上であり、前記ユーザによる指示に従ってフルカットを行った場合には、前記加算手段により加算の結果をリセットするリセット手段をさらに有することを特徴とする請求項４に記載の記録装置。
【請求項６】
前記ユーザによるフルカットの指示を部分的カットに変更する場合には、該変更の旨を前記ユーザに通知する通知手段をさらに有することを特徴とする請求項１乃至５のいずれか１項に記載の記録装置。
【請求項７】
印刷データにカット設定の情報を付加して記録装置に送信する印刷データ送信装置であって、
印刷データのページ毎で記録媒体をフルカットするか部分的カットするかを選択する選択手段と、
前記選択手段によりフルカットが選択された場合にフルカットから次のフルカットまでの印刷ページの長さが予め定められた最低カット長未満であるかどうかに従って、フルカットの選択を部分的カットに変更する変更手段と、を有することを特徴とする印刷データ送信装置。
【請求項８】
前記最低カット長は、フルカットされた記録媒体がその場に留まってもユーザが前記記録装置から取り出すことができる長さであることを特徴とする請求項７に記載の印刷データ送信装置。
【請求項９】
前記選択手段は、最終ページのみ、毎ページ、指定枚数間隔のうち少なくとも２つのカット方法が選択できることを特徴とする請求項７又は８に記載の印刷データ送信装置。
【請求項１０】
フルカットの設定を部分的カットの設定に変更する場合には、該変更の旨を通知する通知手段をさらに有することを特徴とする請求項７乃至９のいずれか１項に記載の印刷データ送信装置。
【請求項１１】
連続した記録媒体に記録を行う記録手段と、前記記録媒体を搬送する搬送手段と、前記搬送手段による記録媒体の搬送方向に関し、前記記録手段の下流側に設けられ、ユーザからの指示に従って、記録媒体をフルカット又は部分的カットによって切断することが可能な切断手段とを備えた記録装置の制御方法であって、
前記切断手段による前回のフルカットからの前記搬送手段による記録媒体の搬送距離が予め定められた最低カット長未満であるかどうかに従って、前記ユーザによる指示がフルカットであったとしても部分的カットに変更するよう制御することを特徴とする制御方法。
【発明の詳細な説明】
【技術分野】
【０００１】
本発明は記録装置、及びその制御方法に関し、特に、連続した記録媒体に記録を行った後に切断を行う記録装置、印刷データ送信装置、及び制御方法に関する。
【背景技術】
【０００２】
従来よりロール状の連続紙のような記録媒体に印刷を行い、カッター装置により印刷した記録紙を切断し、切断した印刷済の記録紙を印刷物として出力する記録装置が知られている（例えば、特許文献１参照）。
【０００３】
このような記録装置では、一般的に記録紙の排出口近傍にカット機構を有しているものが多いが、使用者の安全面を考慮しカッター刃には直接触れることができないようカット機構の下流にも一定の搬送路を持つものが一般的である。
【先行技術文献】
【特許文献】
【０００４】
【特許文献１】特開２０１２−２３６３７８号公報
【発明の概要】
【発明が解決しようとする課題】
【０００５】
しかしながら従来の記録装置では、切断する記録紙の長さがその切断位置から排出口までの距離よりも短い場合、切断した記録紙が排出口の内側に接触するなどしてうまく押し出されないことがある。その結果、前述したカッター装置より下流の搬送路に記録紙が滞留してしまいジャムが発生してしまうことがある。
【０００６】
そもそも、カットされた記録紙の先端が排出口から出ていないとユーザがその印刷物を取ることができないという基本的な問題がある。このため、あえて記録紙の先端が排出口から出るような長さまで記録紙を搬送した後に、カッター装置を動作させることも考えられるが、この場合、記録していない余白部分が大きくなってしまうという別の問題が生じてしまう。
【０００７】
本発明は上記従来例に鑑みてなされたもので、カットされる記録媒体が短い場合でも、その記録媒体のカット方法を変更し、記録媒体の無駄な消費を抑えつつ、記録媒体の装置内への滞留を防止可能な記録装置、及びその制御方法を提供することを目的とする。
【課題を解決するための手段】
【０００８】
上記目的を達成するために本発明の記録装置は次のような構成からなる。
【０００９】
即ち、連続した記録媒体に記録を行う記録手段と、前記記録媒体を搬送する搬送手段と、前記搬送手段による記録媒体の搬送方向に関し、前記記録手段の下流側に設けられ、ユーザからの指示に従って、記録媒体をフルカット又は部分的カットによって切断することが可能な切断手段と、前記切断手段による前回のフルカットからの前記搬送手段による記録媒体の搬送距離が予め定められた最低カット長未満であるかどうかに従って、前記ユーザによる指示がフルカットであったとしても部分的カットに変更する変更手段とを有することを特徴とする。
【００１０】
また本発明を別の側面から見れば、印刷データにカット設定の情報を付加して記録装置に送信する印刷データ送信装置であって、印刷データのページ単位で記録媒体をフルカットするか部分的カットするかを選択する選択手段と、前記選択手段によりフルカットが選択された場合にフルカットから次のフルカットまでの印刷ページの長さが予め定められた最低カット長未満であるかどうかに従って、フルカットの選択を部分的カットに変更する変更手段とを有することを特徴とする印刷データ送信装置を備える。
【００１１】
さらに本発明を別の側面から見れば、連続した記録媒体に記録を行う記録手段と、前記記録媒体を搬送する搬送手段と、前記搬送手段による記録媒体の搬送方向に関し、前記記録手段の下流側に設けられ、ユーザからの指示に従って、記録媒体をフルカット又は部分的カットによって切断することが可能な切断手段とを備えた記録装置の制御方法であって、前記切断手段による前回のフルカットからの前記搬送手段による記録媒体の搬送距離が予め定められた最低カット長未満であるかどうかに従って、前記ユーザによる指示がフルカットであったとしても部分的カットに変更するよう制御することを特徴とする制御方法を備える。
【発明の効果】
【００１２】
本発明によれば、カットされる記録媒体が短い場合でも、その記録媒体のカット方法を変更し、記録媒体の無駄な消費を抑えつつ、記録媒体の装置内への滞留を防止できるという効果がある。
【図面の簡単な説明】
【００１３】
【図１】本発明の代表的な実施例に従うカッターを備えた記録装置の概要構成を示す側断面図である。
【図２】図１に示した記録装置の詳細な制御構成を示すブロック図である。
【図３】図１に示した記録装置のカッターの構成を示す断面図である。
【図４】実施例１に従うカット指示について説明する図である。
【図５】切断した用紙がカッター装置の内部に滞留した状態を模式的に示す図である。
【図６】パーシャルカットされた用紙が排出された状態を模式的に示すカッター装置の側断面図である。
【図７】パーシャルカットへの変更処理を含む印刷制御を示すフローチャートである。
【図８】印刷制御の実行によって変更されたカット処理の結果を示す図である。
【図９】印刷ジョブとカット制御を実行して得られた印刷物を示す模式図である。
【図１０】実施例２に従う印刷データを生成時に実行されるカット間隔の判定とパーシャルカットへの変更処理を示すフローチャートである。
【図１１】、
【図１２】ホストでカット指示を行うために用いられる設定画面の例を示す図である。
【発明を実施するための形態】
【００１４】
以下添付図面を参照して本発明の好適な実施例について、さらに具体的かつ詳細に説明する。しかしながら、本発明は以下に説明する実施例により限定されるものではなく、本発明の要旨を逸脱しない範囲での変更や追加があっても構わない。
【００１５】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１６】
＜記録装置の構成（図１〜図２）＞
図１は、本発明の代表的な実施例であるインクジェット記録ヘッドを搭載した記録装置１００の内部構造の概略を示す側断面図である。
【００１７】
図１に示すように、記録装置１００とホストコンピュータ（以下、ホスト）１０１はＵＳＢケーブル１１１を介して接続されている。記録装置１００は記録紙のような記録媒体の幅全体に渡って複数のノズルを配列した４つのフルライン記録ヘッド（以下、記録ヘッド）１０２〜１０５を記録紙の搬送方向に沿って備えている。
【００１８】
４つの記録ヘッド１０２〜１０５はそれぞれ、ブラックインク、シアンインク、マゼンタインク、イエロインクを吐出して画像記録を行い、４つの記録ヘッドから吐出される４色のインクによりフルカラー画像を印刷する。なお、４つの記録ヘッド１０２〜１０５は記録ヘッドごとに交換可能である。
【００１９】
ホスト１０１からは生成され、４色のインクに対応したブラック（Ｂｋ）成分、シアン（Ｃ）成分、マゼンタ（Ｍ）成分、イエロ（Ｙ）成分に分離された濃度画像データが送信される。その画像データを受信した記録装置１００は、ロール状の記録紙１０６を給送し、押さえローラ１０７と搬送ベルト１０８で挟持して搬送するとともに、各記録ヘッド１０２〜１０５により順次、各色インクで印刷を行う。その印刷は用紙先端検知センサ１０９で印刷すべき記録紙１０６の先端部を検知して、そこからの移動距離に基づいて決定されたタイミングに従って記録ヘッド１０２〜１０５それぞれから各色インクを記録紙に吐出することにより行われる。また、印刷動作が完了後、印刷ページの後端が記録紙の搬送方向下流側に一定の距離置いて設けられたカッター装置１１０に達したタイミングで、カッター装置１１０を駆動し、記録紙の切断を行い印刷物を排出する。
【００２０】
図２は図１に示す記録装置の制御構成を示すブロック図である。
【００２１】
図２に示すように、記録装置１００のコントローラ２００に備えられたＣＰＵ２０１がＲＯＭ２０２に格納されている制御プログラムをＲＡＭ２０３を作業領域として用いて実行し各構成要素を制御する。また、コントローラ２００はＲＡＭ２０３を各種データ処理の作業領域や受信バッファとして使用し、イメージメモリ２０４を画像展開部として用いる。更に、コントローラ２００には、記録ヘッド１０２〜１０５を駆動するヘッド駆動回路２０８、各記録ヘッドを記録に最適な状態に保つためのクリーニング動作や記録動作を制御する各種モータ２０９を駆動するモータドライバ２１０を備える。また更に、各種動作の制御や記録紙の検知などを行うためのセンサ２１１などを制御するＡＳＩＣ２０５を備える。
【００２２】
また、記録装置１００はホスト１０１から送信された画像データやクリーニングコマンドなどをＵＳＢケーブル１１１を介して受信するＵＳＢコントローラ２１２を備え、受信した各種コマンド命令に従って動作する。但し、ホストとのインタフェースはＵＳＢに限るものではなく、有線或いは無線ネットワークを介してホスト１０１と接続されていても良い。
【００２３】
図３は図１に示した記録装置のカッター装置１１０の一例の概略構成を示す側断面図である。図３は、記録紙の搬送方向から眺めた図であり、図１とは直交する方向から眺めたものである。
【００２４】
図３に示すように、カッター装置１１０は固定刃３０１と可動刃３０２を備えており、可動刃３０２は駆動機構（不図示）により固定刃３０１に向けて駆動される。可動刃３０２は中央に溝部３０３が設けられている。可動刃３０２の溝部３０３が固定刃３０１のエッジ３０１ｅを超える位置まで駆動させるとフルカット、可動刃３０２の溝部３０３が固定刃３０１のエッジ３０１ｅを超えない位置まで駆動させるとパーシャルカットとなる。
【００２５】
このように、カッター装置１１０は可動刃３０２の移動量により記録紙を完全に切断するフルカットと、記録紙の一部だけをカットする部分的カットとしてのパーシャルカットを切り変えることが可能である。
【００２６】
なお、カッター装置１１０の機構は前述の構成に限ったものではない。パーシャルカットとフルカットの双方の機能を有するカッターを備えていれば本発明が適応可能である。
【００２７】
次に以上のような構成の記録装置を用いて、連続した記録紙に印刷を行う場合のカット制御の実施例について説明する。
【実施例１】
【００２８】
図４は実施例１に従うカット指示について説明する図である。
【００２９】
ホスト１０１から印刷ジョブを送信する際、その印刷ジョブには各ページの用紙長とそのページのカット有無を示すカットパラメータを付加する。
【００３０】
図４（ａ）は、全６ページの印刷ジョブの例を示しており、用紙長が４０ｍｍと２０ｍｍの２ページを一組として２ページ毎にカットすることを示している。図４（ｂ）は、同じく全６ページの印刷ジョブの例を示しており、各ページが用紙長１０ｍｍであるページを毎ページカットすることを示している。
【００３１】
なお、ここではユーザの設定に従って印刷ジョブのパラメータによりカットの有無を指定しているが、カット有無の設定はこれに限ったものでなく、記録装置の用途によってはユーザの設定手段を備えず、基本的に毎ページカットするような構成でも構わない。
【００３２】
図５は切断した用紙がカッター装置１１０の内部に滞留した状態を模式的に示す図である。
【００３３】
前述した通りカッター装置１１０の切断位置と記録紙１０６の排出口５００との間には一定の距離が存在する。従って、図５に示すように、記録ページの用紙長が非常に短い場合、カットした記録紙５０１が排出口５００から排出されず内部に滞留してしまうことがある。このような理由から、印刷済のカットされた記録紙を確実に装置外に排出するには最低限必要な用紙長が存在する。この実施例ではそれを最低カット長Ｌｍｉｎと定義し、ここでは、その長さを１５ｍｍとする。なお、最低カット長Ｌｍｉｎは記録装置の用途や運用方法によって最適な値とすればよい。例えば、カットした記録紙がその場に留まってもユーザが記録装置の排出口５００から記録紙を取り出すことができる長さを最低カット長としてもよい。つまり、切断位置から排出口５００までの長さに所定量を追加した長さとしてもよい。または、カットした記録紙が自然に落下する長さを最低カット長としてもよい。
【００３４】
上記のような要件を考慮して、この実施例では最低カット長Ｌｍｉｎより短いカット間隔でカット指示を受けた場合、そのカット処理をパーシャルカット処理に変更する。
【００３５】
図６はパーシャルカットされた用紙が排出された状態を模式的に示すカッター装置１１０の側断面図である。
【００３６】
パーシャルカットでは記録紙の一部が繋がった状態でカットされる。このため、図６に示すように、パーシャルカットされた記録紙６００はその時点で記録紙が排出口５００から排出されていなくても後続の記録紙６０１に続けて印刷することで記録紙６００が押し出され、排出口５００から印刷した記録紙６００を取得可能になる。
【００３７】
加えて、パーシャルカットは記録紙の一部が繋がった状態なので、先行ページの浮き上がりを防止することができ、後続のページで先行ページを確実に押し出すことができる。また、記録紙の一部をユーザが千切るのは容易であるため、ユーザは１ページごとに印刷済の記録紙を容易に得ることができる。
【００３８】
一方、カットなしにすると１ページずつユーザがカットする必要があるため、ユーザによっては煩わしい。従って、パーシャルカットを行うことには利点がある。なお、運用コストを高くなっても、ミシン目の加工などが施された記録紙を用いるなら、カットなしの動作に切替えることも可能である。
【００３９】
図７はパーシャルカットへの変更処理を含む印刷制御を示すフローチャートである。
【００４０】
印刷ジョブを受信した記録装置１００はまず、ステップＳ７００でカット間隔を算出するための前回カットからの搬送距離をリセットする。続けて、ステップＳ７０１では１ページ目の印刷を行い、さらにステップＳ７０２において、そのページの用紙長を前回カットからの搬送距離に加算する。
【００４１】
次に、ステップＳ７０３では印刷ジョブに付加されたカットパラメータにフルカット指示があるかどうかを調べる。ここで、フルカット指示があると判断された場合、処理はステップＳ７０４に進み、前回カットからの搬送距離（Ｌ）と最低カット長Ｌｍｉｎを比較する。ここで、前回カットからの搬送距離（Ｌ）が最低カット長Ｌｍｉｎより長い場合（Ｌ≧Ｌｍｉｎ）は記録紙は問題なく排出されるため、処理はステップＳ７０５に進み、ユーザの指示通りフルカットを実行する。そして、ステップＳ７０６では前回カットからの搬送距離（Ｌ）をリセットする。その後、処理はステップＳ７０８に進む。これに対して、前回カットからの搬送距離（Ｌ）が最低カット長Ｌｍｉｎ未満の場合（Ｌ＜Ｌｍｉｎ）は、処理はステップＳ７０７に進み、パーシャルカットを実行する。その後、処理はステップＳ７０８に進む。
【００４２】
処理はステップＳ７０８において、印刷ジョブに印刷を行う後続のページがあるかどうかを調べる。ここで、後続のページがあると判断された場合、処理はステップＳ７０１に戻り、再び上述した印刷処理を繰り返す。これに対して、後続のページがなく、印刷ジョブの全ての印刷が完了したと判断されたなら、処理はステップＳ７０９に進む。
【００４３】
そして、ステップＳ７０９では、最終ページのカット状況を確認する。ここで、最終ページがパーシャルカットされたと判断された場合、印刷済の記録紙がすべて取得できていない状態であるため、処理はステップＳ７１０に進む。そして、ステップＳ７１０では、最終的に記録装置内の記録紙と切り離して装置外に排出するため、前回カットからの搬送距離（Ｌ）が最低カット長Ｌｍｉｎを超えるまで、即ち、記録紙の先端が排出口５００の外に出るまで、記録紙を追加的に搬送する。その後、ステップＳ７１１においてフルカットを行い、処理を終了する。これに対して、最終ページがパーシャルカットではないと判断された場合、処理はそのまま終了する。
【００４４】
なお、ここでは説明の便宜上１ページごとに印刷が完了後、印刷済の記録ページの後端側のカットを行い、次のページの印刷を行うという制御を行っている。しかしながら、実際には１ページ目の後端がカット機構に位置するタイミング、つまりカット処理を行うタイミングで既に次のページの先端は記録ヘッドの位置に差し掛かっているため並行して印刷処理を行っている。ただ、実際には並列処理を行っているものの実質的には上述の印刷制御と違いはない。
【００４５】
図８は印刷制御の実行によって変更されたカット処理の結果を示す図である。なお、図８では、図４で示したカット指示に対応したカット処理の結果を示している。
【００４６】
まず、図８（ａ）は図４（ａ）に示したカット指示が付加された印刷ジョブの印刷を行った際のカット制御を示したものである。図８（ａ）によれば、最初のカットタイミングである２ページ目の時点で搬送距離は４０＋２０＝６０ｍｍとなり、最低カット長（ここでは１５ｍｍ）に達しているため設定どおりフルカットが行われる。同様に３〜６ページ目に関しても同様に指示通りフルカットが実行される。
【００４７】
一方、図８（ｂ）は図４（ｂ）に示したカット指示が付加された印刷ジョブの印刷を行った際のカット制御を示したものである。図８（ｂ）によれば、最初のカットタイミングである１ページ目の時点で搬送距離は１０ｍｍとなり、最低カット長である１５ｍｍに達していないため、フルカット処理がパーシャルカット処理に変更される。続いて２ページ目では搬送距離が１０ｍｍ＋１０ｍｍ＝２０ｍｍとなり、最低カット長である１５ｍｍを超えているため指定通りフルカットが行われる。同様に３ページ目、５ページはパーシャルカット、４ページ目、６ページ目はフルカットが行われる。
【００４８】
なお、２ページ目、４ページ目もパーシャルカットに変更し、最終ページのみフルカットのままにしても良い。また搬送距離が最低カット長を超えてもフルカットせず、最低カット長以上になる任意のページごとにフルカットするようにしても良い。
【００４９】
図９は印刷ジョブとカット制御を実行して得られた印刷物を示す模式図である。
【００５０】
図９（ａ）は図４（ｂ）で示した印刷ジョブで所望される印刷物を示している。図９（ａ）に示すように、所望の印刷物とは１ページが１０ｍｍの用紙長であり、全６ページがそれぞれカットされたものである。
【００５１】
これに対して、図９（ｂ）は図４（ｂ）で示した印刷ジョブに対して、図８（ｂ）で示したようなカット制御を行って得られた印刷物を示している。図９（ｂ）に示すように、カットされた間隔は２ページ毎であるものの、切断されていないページ間もパーシャルカットされているため、道具などを使用することなく引きちぎることができ、容易に所望の印刷物を得ることができる。
【００５２】
従って以上説明した実施例に従えば、用紙長が短い場合でもフルカット動作をパーシャルカット動作に変更することにより印刷物を装置内に滞留させることなく排出し、さらに簡単な作業で所望の印刷物を得ることができる。また、この実施例に従えば、フルカット動作をパーシャルカット動作に変更するだけで、記録媒体の余分な搬送は行わないので、記録紙を無駄にすることがないという利点もある。
【００５３】
なお、フルカットからパーシャルカットに変更した場合、ユーザ自身が記録紙を引き千切る必要があるため、記録装置の操作パネルに、パーシャルカットに変更したことを通知するようにしても良い。
【実施例２】
【００５４】
実施例１では記録装置の印刷制御で印刷ジョブにおいてカット間隔の判定を行い、パーシャルカットへの変更を行ったが、そのような変更はそれに限ったものでない。例えば、印刷データ送信装置（ホスト）側で印刷データを送信する前にカット間隔の判定とカット方法の変更を促す通知を行ってもよい。この実施例では、カット間隔の判定とカット方法変更の通知例について説明する。
【００５５】
図１０は実施例２に従う印刷データを生成時に実行されるカット間隔の判定とパーシャルカットへの変更処理を示すフローチャートである。
【００５６】
図１１は、印刷データ送信装置でのカット設定の表示例を示す図である。
【００５７】
図１１（ａ）はフルカットの設定の例であり、図１１（ｂ）はパーシャルカットの設定の例である。それぞれカット間隔は、最終ページのみ、ページ毎、指定枚数間隔から選択することができる。
【００５８】
まず、ステップＳ１０００では、カット間隔の情報をリセット後、ステップＳ１００１ではＮページ目の用紙長情報を取得する。ここで、リセット後の最初のページは１ページ（Ｎ＝１）である。ステップＳ１００２ではこれをカット間隔に加算する。次に、ステップＳ１００３では、Ｎページ目のカットパラメータを取得し、そのカットパラメータにカット指示があるかどうかを調べる。
【００５９】
ここで、フルカットのカット指示があると判定された場合、処理はステップＳ１００４に進み、カット間隔が最低カット長Ｌｍｉｎ未満かどうかを調べる。ここで、そのカット間隔が最低カット長以上であると判定された場合、処理はステップＳ１００５に進み、カット指示は変更せず、カット間隔をリセットし、その後、処理はステップＳ１００７に進む。これに対して、カット間隔が最低カット長未満であると判定された場合、処理はステップＳ１００６に進み、カット指示をパーシャルカット指示に変更する。その後、処理はステップＳ１００７に進む。
【００６０】
さて、ステップＳ１００３において、Ｎページ目にフルカットのカット指示が判定ない場合には、処理はステップＳ１００７に進む。ステップＳ１００７では、印刷する続きのページがあるかどうかを調べる。ここで、続きのページがあると判定された場合には、次のページについての処理を行うため、処理はステップＳ１００１に戻り、以降２ページ目（Ｎ＝２）、３ページ目（Ｎ＝３）……と前述の処理を繰り返し、全ページの判定を行う。これに対して、続きのページがないと判定されたなら、処理は終了する。
【００６１】
ステップＳ１００６においてパーシャルカット指示に変更された場合は、以下の表示を行う。
【００６２】
図１１（ａ）に示す設定画面で、毎ページフルカットが選択されていた場合で、１ページのカット間隔が最低カット長Ｌｍｉｎ未満であり、３ページ毎のカット間隔が最低カット長Ｌｍｉｎ以上である場合は、次のような処理を行う。即ち、図１２に示すように毎ページフルカットが不可能である旨を通知するメッセージを表示する。この表示に応答して、ユーザによりＯＫが押されると、図１１（ａ）に示す設定を「指定枚数間隔でフルカット、３ページ」に変更し、１ページ目、２ページ目の後端はパーシャルカットするように変更する。
【００６３】
この実施例では上述のように予め規定された最低カット長に基づきフルカットをパーシャルカットに変更し、フルカットを行う間隔を変更する。従って、ユーザには事前にカット処理がパーシャルカットに変更される可能性がある旨を通知することが望ましい。また、印刷ジョブの用紙長及びカット設定はホストのプリンタドライバ等の設定で行うので、設定された印刷条件でパーシャルカットへの変更が行われるかどうかを判定できる。
【００６４】
従って、ホストのディスプレイに表示される図１１に示すようなカット設定の画面１１００においてユーザがＯＫボタン１１０１をクリック（又は、押下、タップ）した際、用紙長と指定されたカット間隔からパーシャルカットへ変更がなされるかが判定される。そして、パーシャルカットへの変更がなされるが場合には、前もって図１２に示すようなメッセージ画面１２００によってユーザに通知がなされる。
【００６５】
以上説明した処理をホストで実行することで、最低カット長より短い間隔のカット指示がパーシャルカットに変更された印刷ジョブが生成され、記録装置内部で記録紙の滞留やジャムを生じさせることなく印刷及びカットを行うことができる。
【００６６】
なお、以上説明したフローチャートでは印刷データを生成する過程におけるカット指示の変更のみに注目しているが、実際には印刷データの生成に必要な諸々の処理の一部として実行される。
【００６７】
従って以上説明した実施例に従えば、用紙長が短い場合でもフルカット指示をパーシャルカット指示に変更する処理をホストで実行することにより、記録装置側での処理負荷を軽減させることが可能になる。また、ユーザによる設定変更作業などもホスト側で可能になるので、よりユーザフレンドリな処理が実現できる。いずれにしても、この実施例によっても、記録物を記録装置内に滞留させることなく排出させ、さらに簡単な作業で所望の印刷物を得ることが可能となる。
【００６８】
また、以上説明した実施例ではフルカット動作をパーシャルカット動作に変更したが、差し替える処理はパーシャルカットでなくてもよい。例えば用紙をミシン目状にカット可能なミシン目カット機構を備えている場合、フルカットをミシン目カットに差し替えてもよい。
【００６９】
さらにまた以上説明した実施例では、記録装置またはホストコンピュータによりカット処理の差し替え処理を行っていたが、処理を行う装置はそれに限ったものではなく、カット間隔を認識可能な記録システムの一部であれば如何なる形態でもよい。
【００７０】
以上説明したように、カット間隔が短い場合でもフルカット動作をパーシャルカット等の用紙の一部を切断する手段に置き換えることで、記録物を滞留させることなく排出し、さらに簡単な作業で所望の印刷物を得ることが可能である。
【００７１】
また、以上説明した実施例では、フルライン記録ヘッドを用いた記録装置を例に説明したが本発明はこれにより限定されるものではない。例えば、記録ヘッドを記録媒体の搬送方向とは直角の方向に往復移動しながらこれに合わせて記録紙を間欠搬送することで記録を行う記録装置でも良い。或いは、インク保持体に塗布されたインクを記録紙に転写することによって画像を形成する転写型プリンタなどであってもよい。
【００７２】
またさらに、以上説明した実施例では、カッター装置と記録装置に対して外付けされる構成としたが、本発明はこれによって限定されるものではなく、カッター装置が記録装置内に内蔵されている構成でも良い。
【符号の説明】
【００７３】
１００  インクジェット記録装置、１０１  ホストコンピュータ、
１０２  記録ヘッド（Ｂｋ）、１０３  記録ヘッド（Ｃ）、１０４  記録ヘッド（Ｍ）、
１０５  記録ヘッド（Ｙ）、１０６  記録紙、１０７  押さえローラ、
１０８  搬送ベルト、１０９  用紙先端検知センサ、１１０  カッター装置、
３０１  固定刃、３０２  可動刃、３０３  可動刃溝部
【図１】
2019181845.tif 000003
【図２】
2019181845.tif 000004
【図３】
2019181845.tif 000005
【図４】
2019181845.tif 000006
【図５】
2019181845.tif 000007
【図６】
2019181845.tif 000008
【図７】
2019181845.tif 000009
【図８】
2019181845.tif 000010
【図９】
2019181845.tif 000011
【図１０】
2019181845.tif 000012
【図１１】
2019181845.tif 000013
【図１２】
2019181845.tif 000014